(57)【特許請求の範囲】
【請求項１】
多角形状に組み合わされた基礎枠、この基礎枠の隅部と天窓の頂部間に架設される支持枠、及び支持枠間に上記基礎枠と平行に架設される横桟を有する角錐型天窓枠の連結に用いられ、
上記基礎枠と天窓頂部との間に架設される中空状の上記支持枠の側面部に取り付けられ、上記横桟の上方側及び下方側にそれぞれ延設される翼片の各端部に締結孔を有する長尺状の翼板部、及びこの翼板部の長尺辺部を屈曲しかつ翼板部の中間部から横桟に沿う斜め方向に突出して形成され、中空状の上記横桟の裏面部に締め具で固定される固定孔を有し、上記横桟を上記支持枠に固定する基板部からなることを特徴とする角錐型天窓枠の連結具。
【発明の詳細な説明】
【０００１】
【発明の属する技術分野】
本発明は、角錐型天窓枠の連結具に関する。
【０００２】
【従来の技術】
従来、角錐型天窓枠として、例えば図３（ａ）に示す四角錐型天窓枠は、四角形状水平に枠組みした基礎枠１１、この基礎枠１１のコーナ部１２から、頂部１３に架設される支持枠１４、基礎枠１１の中間部から頂部１３に架設される支持枠１６、及び支持枠１４の中間点間に水平に架設される横桟１５から構成されている。この天窓は、図３（ｃ）に示すように、基礎枠１１方向から見た正面図において、基礎枠１１と支持枠１６のなす角度が４５度とされているものである。
【０００３】
図３（ｂ）に示すように、上記支持枠１４と、これに斜め方向から当接する横桟１５とを連結する際には、横桟１５の上面部に取り付けられる上部連結具２１と、横桟１５の下面部に取り付けられる下部連結具２２との２つの連結具２１，２２を用いる。この上部連結具２１は、支持枠１４に取り付ける支持枠取付板部２３と、この支持枠取付板部２３と所定の鋭角をなして折り曲げられ、横桟１５に取り付ける横桟取付板部２４とを有し、また、下部連結具２２についても同様に、支持枠取付板部２５と、この支持枠取付板部２５と所定の鈍角をなして折り曲げられた横桟取付板部２６とを有している。
【０００４】
上部連結具２１は、支持枠１４の側面部１４ａに取り付けられる支持枠取付板部２３の捩じ角度（横桟取付板部２４の長手方向と直交する方向となす角度）を３５．２６度に、また横桟取付板部２４と支持枠取付板部２３との折り曲角度（支持枠取付板部２３の長手方向と横桟取付板部２４の長手方向とのなす角度）を５４．７４度に設定される。
【０００５】
一方、下部連結具２２は、支持枠１４の側面部１４ａに取り付けられる支持枠取付板部２５の捩じ角度を３５．２６度に、また横桟取付板部２６と支持枠取付板部２５との折り曲角度を１２５．２６度に設定される。
【０００６】
上記連結具２１，２２はそれぞれ、支持枠取付板部２３，２５を支持枠１４に締め具４１を用いて固定し、一方ボルト４２及びナット４３を用いて横桟取付板部２４，２６を横桟１５に固定して両枠を連結する。支持枠１４の表面に設けられる押え板１７、及び横桟１５の表面に設けられる押え板１８は、窓ガラスの押えに用いる。
【０００７】
【発明が解決しようとする課題】
したがって、上記連結具２１，２２にあっては、上部連結具２１と下部連結具２２との２つの金具を用い、さらに上記捩じ角度及び折り曲角度を違えたものを別々に製造する必要があり、このように製造に際しても工程を多く要し、また施工に際しても別々に連結具２１，２２を取り付ける等の手間を要するという問題があった。
【０００８】
本発明は、上記問題点に鑑みてなされたものであり、製造容易でかつ部品点数を削減し、さらに施工性を良くした角錐型天窓枠の連結具を提供することを目的とする。
【０００９】
【課題を解決するための手段】
以上の技術的課題を解決するため、本発明に係る角錐型天窓枠の連結具は、図１及び図３（ａ）に示すように、多角形状に組み合わされた基礎枠１１、この基礎枠１１の隅部と天窓の頂部間に架設される支持枠１４、及び支持枠１４間に上記基礎枠１１と平行に架設される横桟１５を有する角錐型天窓枠の連結に用いられ、上記基礎枠１１のなす面に対して垂直に形成されている支持枠の側面部１４ａに取り付けられる長尺状の翼板部２、及びこの翼板部２の長尺辺部を屈曲して形成され、上記基礎枠１１と支持枠１４とで形成される平面と平行に形成されている横桟の裏面部１５ｂに固定される基板部３を有する構成である。
【００１０】
【発明の実施の形態】
以下本発明に係る角錐型天窓枠の連結具の実施の形態を図面に基づいて説明する。
【００１１】
図１は、図３（ａ）に示す角錐型天窓枠における、支持枠１４と横桟１５との連結に用いられる連結具１及びその連結構造を示したものである。
【００１２】
この角錐型天窓枠は、基礎枠１１が四角形状水平に枠組みされた四角錐型天窓枠である。この基礎枠１１から、頂部１３に架設される支持枠１４は、一対の平行な側面部１４ａ，１４ｂ及び押え板１８を取り付ける表面部１４ｃ等を有する角筒状をなし、この支持枠１４を架設した状態では、上記側面部１４ａ，１４ｂは、基礎枠１１が形成する水平面に対して垂直となる。一方、上記横桟１５は、断面矩形の四角筒状であり、押え板１８を取り付ける表面部１５ａ、これと平行な裏面部１５ｂ、及び側面部１５ｃ等からなっている。
【００１３】
上記連結具１は、上記支持枠１４の側面部１４ａに取り付けられる長尺板状の翼板部２と、この翼板部２の長尺辺部を１２０度に屈曲され上記横桟１５の裏面部１５ｂに固定される基板部３とを有する。翼板部２の長手方向と、基板部３の長手方向とは鋭角状に５４．７４度の角度で交差している。
【００１４】
翼板部２の長手両側近傍には、長手方向に長い長孔４がそれぞれ穿設され、また、基板部３にも、長手方向一直線上に同方向に長い長孔５が２箇所設けられている。連結具１の材質は、軽金属、鉄等の金属或いは合成樹脂等が用いられる。
【００１５】
連結に際しては、締め具４１を各長孔４に締め込み、連結具１の翼板部２を支持枠１４の側面部１４ａに固定し、一方、連結具１の基板部３に横桟１５の裏面板１５ｂを配置し、基板部３に設けた各長孔５に締め具４１を締め込んで固定する。固定の際、各長孔４，５の遊びにより寸法の誤差を調整することができる。
【００１６】
したがって、上記実施の形態によれば、連結具１は、翼板部２及びこれと長手方向に所定の角度を形成しかつ翼板部２の長尺辺を折り曲て基板部３を設けたことにより、一つの金具で支持枠１４とこれに斜め方向から当接する横桟１５を連結することができ、これにより部品点数が削減できるとともに、取付けが容易なことから施工性が良く、また連結具１は構造が簡単であることから製造が容易であるという効果がある。
【００１７】
図２は、他の実施の形態を示したものである。この図２（ｂ）に示す角錐型天窓枠は、上記図１記載と同様四角錐型天窓であり、上記天窓は、基礎枠１１方向から見た正面図において、基礎枠１１と支持枠１６のなす角度が４５度とされているものに対して、この天窓は基礎枠１１と支持枠１６のなす角度が３０度に設定されたもので、両天窓枠の基本構成は略同様である。
【００１８】
図２（ａ）に示すように、この四角錐型天窓枠に用いられる連結具５１は、支持枠６４の側面部６４ａに取り付けられる長尺板状の翼板部５２と、この翼板部５２の長尺辺部を１１０．７０５度の角度に屈曲して形成され、横桟６５の裏面部６５ａに取り付けられる基板部５３とを有する。また翼板部５２の長手方向と、基板部５３の長手方向とは鋭角状に４９．１０７度の角度をなして交差している。
【００１９】
翼板部５２の長手両側近傍には、長手方向に長い長孔５４がそれぞれ穿設され、また、基板部５３にも、長手方向一直線上に同方向に長い長孔５５が２箇所設けられている。連結具１の材質は、軽金属、鉄等の金属或いは合成樹脂等が用いられる。この連結具５１を用いた連結の形態は、上記連結具１の場合と同様であるのでここでは説明を省略する。
【００２０】
したがって、この実施の形態においても、上記実施の形態と同様、部品点数の削減、施工容易及び製造容易等の効果が得られる。
【００２１】
【発明の効果】
以上説明したように、本発明に係る角錐型天窓枠の連結具によれば、基礎枠、この基礎枠と天窓の頂部間に架設される支持枠、及び支持枠間に架設される横桟を有する角錐型天窓枠の連結に用いられ、支持枠側面部に取り付けられる長尺状の翼板部、及びこの翼板部の長尺辺部を屈曲して形成され、横桟裏面部に固定される基板部を有する構成を採用したから、一つの金具により支持枠とこれに斜め方向から当接する横桟を連結することができ、これにより部品点数が削減できるとともに、施工が容易であり、また連結具は構造が簡単であることから製造が容易であるという効果がある。
【図面の簡単な説明】
【図１】本発明の実施の形態に係る角錐型天窓枠の連結具及び連結構造を示す図である。
【図２】本発明の他の実施の形態に係る角錐型天窓枠の連結具及び連結構造を示す図であり、（ａ）は天窓枠の連結構造を、（ｂ）は四角錐天窓枠を示す。
【図３】従来例に係る角錐型天窓枠の連結構造を示す図であり、（ａ）は四角錐天窓枠を、（ｂ）は天窓枠の連結構造を、（ｃ）は四角錐天窓枠の正面図を示す。
【符号の説明】
１  連結具
２  翼板部
３  基板部
１１  基礎枠
１４  支持枠
１５  横桟
【図１】
0003595156.tif 000002
【図２】
0003595156.tif 000003
【図３】
0003595156.tif 000004